(57)【要約】【課題】電気部品を確実に接続固定した状態でこの電気部品の底面に設けられた接地用のグランド面に対しグランドピンを弾性的に接触させる。【解決手段】電気部品の載置部（９）を有すると共にその載置部に載置される電気部品のリードと接続する複数のコンタクトピンが取り付けられたソケット本体２に、電気部品の底面に設けられた接地用のグランド面に対し接触部３１が弾性的に接触するグランドピン２８を設け、このグランドピンをソケットカバー３の下降により押し下げると共に、そのソケットカバーが上昇する際にはグランドピンの接触部３１を電気部品のグランド面に接触させるように上向きに付勢されたスライドバー３３を設け、上記ソケットカバーからスライドバーの両端部に向けて弾性的に伸縮可能に伸び、上記スライドバーを押し下げると共にそのスライドバーの停止により収縮するプッシャー３７を設けたものである。【選択図】    図７
2005005130.tif 000002
【特許請求の範囲】
【請求項１】
電気部品の載置部を有すると共にその載置部に載置される電気部品のリードと接続する複数のコンタクトピンが取り付けられたソケット本体と、
このソケット本体に上下動可能に組み付けられ、その上下動により上記載置部に載置される電気部品のリードを上記コンタクトピンで接続するように作動させるソケットカバーと、
を有する電気部品用ソケットであって、
上記ソケット本体に、電気部品の底面に設けられた接地用のグランド面に対し接触部が弾性的に接触するグランドピンを設け、
このグランドピンを上記ソケットカバーの下降により押し下げると共に、そのソケットカバーが上昇する際にはグランドピンの接触部を電気部品のグランド面に接触させるように上向きに付勢されたスライド部材を設け、
上記ソケットカバーからスライド部材に向けて弾性的に伸縮可能に伸び、上記スライド部材を押し下げると共にそのスライド部材の停止により収縮する押圧部材を設けた、
ことを特徴とする電気部品用ソケット。
【請求項２】
上記グランドピンは、スライド部材の一部に接触して弾性変形しその接触部が下降する形状とされたことを特徴とする請求項１記載の電気部品用ソケット。
【請求項３】
上記グランドピンは、１本又は複数本設けられたことを特徴とする請求項１又は２記載の電気部品用ソケット。
【請求項４】
上記スライド部材は、ソケット本体の対角線上にて相対する角部の間に上下動可能に張設されたことを特徴とする請求項１記載の電気部品用ソケット。
【請求項５】
上記押圧部材は、ソケットカバーの対角線上にて相対する角部に設けられ、内部に弾性部材を装着してソケットカバーに対して所定の長さで伸びていることを特徴とする請求項１又は４記載の電気部品用ソケット。
【請求項６】
上記スライド部材の上向きの付勢力よりも、押圧部材がスライド部材側に伸びる弾性力の方が大きくされていることを特徴とする請求項１記載の電気部品用ソケット。
【発明の詳細な説明】
【０００１】
【発明の属する技術分野】
本発明は、ＩＣパッケージ等の電気部品を着脱可能に保持し他の電気回路装置に接続する電気部品用ソケットに関し、詳しくは、電気部品を確実に接続固定した状態でこの電気部品の底面に設けられた接地用のグランド面に対しグランドピンを弾性的に接触させる電気部品用ソケットに係るものである。
【０００２】
【従来の技術】
従来のこの種の電気部品用ソケット、特に、オープントップタイプの電気部品用ソケットは、上面に電気部品の載置部を有すると共にその載置部に載置される電気部品のリードと接続する複数のコンタクトピンが取り付けられたソケット本体と、このソケット本体の上面側に上下動可能に組み付けられ、その上下動によりソケット本体の載置部に載置される電気部品のリードをコンタクトピンで挟み込んで接続固定するように作動させるソケットカバーとを有して成っている。
【０００３】
従来のオープントップタイプの電気部品用ソケットで接続固定する電気部品としてのＩＣパッケージは、パッケージ本体の両側辺部に多数のリードが整列して突出されており、或いはパッケージ本体の全周の側辺部に多数のリードが整列して突出されている。そして、このようなＩＣパッケージを電気部品用ソケットに接続固定するには、ソケット本体の上面側に上下動可能に組み付けられたソケットカバーを押し下げて、ソケット本体の載置部の周囲に設けられたコンタクトピンを開き、この状態で上記載置部にＩＣパッケージのリードを載置する。その後、上記ソケットカバーの押し下げを解除すると、ソケットカバーがソケット本体に対して上昇し、上記コンタクトピンが閉じて載置部に載置されたＩＣパッケージのリードを所定の押圧力で挟み込んで、このＩＣパッケージを電気部品用ソケットに接続固定するようになっていた（例えば、特許文献１参照）。
【０００４】
【特許文献１】
特開２０００−１８２７３８号公報（第４〜５頁、図１〜図４）
【０００５】
【発明が解決しようとする課題】
しかし、最近のＩＣパッケージは、通常のコンタクトピンの他に、パッケージ底面に放熱のためとアースをとるために金属片からなるグランド面を設けたものが出てきている。そして、このようなＩＣパッケージに合わせて、パッケージ底面のグランド面に接触してアースするためのグランドピンを備えた電気部品用ソケットが望まれている。しかしながら、この要求に応えて、電気部品を確実に接続固定した状態でこの電気部品の底面に設けられた接地用のグランド面に対しグランドピンを接触させる電気部品用ソケットはまだ提供されていない。
【０００６】
ここで、上記パッケージ底面にグランド面を有するＩＣパッケージに対しては、ソケット本体の中央部付近にてグランドピンが上向きに突出することとなるので、ソケットカバーを押し下げてソケット本体の載置部の周囲に設けられたコンタクトピンを開き、上記載置部にＩＣパッケージのリードを載置した後、ソケットカバーの押し下げを解除してソケット本体に対して上昇させる際に、コンタクトピンが閉じてＩＣパッケージのリードを挟み込んで固定してからでないと、上記グランドピンでＩＣパッケージの底面を突き上げてしまい、ＩＣパッケージを電気部品用ソケットに接続固定できないこととなる。
【０００７】
したがって、載置部に載置されたＩＣパッケージのリードをコンタクトピンが挟み込んで接続固定した後に、グランドピンの接触部がＩＣパッケージのグランド面に接触するようなソケット構造としなければならないが、例えば対向する２側辺部にコンタクトピンが設けられたＳＯＰ（スモールアウトラインパッケージ）用の電気部品用ソケット、又は４辺の全周にコンタクトピンが設けられたＱＦＰ（クワッドフラットパッケージ）用の電気部品用ソケットにおいては、多数のコンタクトピンの存在によって、上記グランドピンの作動を制御する構造が組み込みにくいものであった。
【０００８】
そこで、本発明は、このような問題点に対処し、電気部品を確実に接続固定した状態でこの電気部品の底面に設けられた接地用のグランド面に対しグランドピンを弾性的に接触させる構造を有する電気部品用ソケットを提供することを目的とする。
【０００９】
【課題を解決するための手段】
上記目的を達成するために、本発明による電気部品用ソケットは、電気部品の載置部を有すると共にその載置部に載置される電気部品のリードと接続する複数のコンタクトピンが取り付けられたソケット本体と、このソケット本体に上下動可能に組み付けられ、その上下動により上記載置部に載置される電気部品のリードを上記コンタクトピンで接続するように作動させるソケットカバーと、を有する電気部品用ソケットであって、上記ソケット本体に、電気部品の底面に設けられた接地用のグランド面に対し接触部が弾性的に接触するグランドピンを設け、このグランドピンを上記ソケットカバーの下降により押し下げると共に、そのソケットカバーが上昇する際にはグランドピンの接触部を電気部品のグランド面に接触させるように上向きに付勢されたスライド部材を設け、上記ソケットカバーからスライド部材に向けて弾性的に伸縮可能に伸び、上記スライド部材を押し下げると共にそのスライド部材の停止により収縮する押圧部材を設けたものである。
【００１０】
このような構成により、ソケットカバーの下降によって、そのソケットカバーからスライド部材に向けて弾性的に伸縮可能に伸びて設けられた押圧部材で上記スライド部材を押し下げ、このスライド部材の下降でソケット本体のグランドピンを押し下げ、そのスライド部材の停止により押圧部材が収縮して更にソケットカバーが下降して、ソケット本体のコンタクトピンを開いた状態とし、載置部に電気部品を載置した後、ソケットカバーを上昇させることにより、上記押圧部材の伸長によってまずソケットカバーが上昇してコンタクトピンを閉じて載置部の電気部品のリードに接続固定し、その後スライド部材が上昇してソケット本体に設けられたグランドピンの接触部を電気部品の底面のグランド面に弾性的に接触させるように動作する。これにより、ソケット本体のコンタクトピンで電気部品を確実に接続固定した後に、電気部品の底面に設けられた接地用のグランド面に対しグランドピンを弾性的に接触させることができる。
【００１１】
また、上記グランドピンは、スライド部材の一部に接触して弾性変形しその接触部が下降する形状とされている。これにより、ソケットカバーに設けられた押圧部材の下降によってソケット本体のグランドピンを押し下げることができる。
さらに、上記グランドピンは、１本又は複数本設けられている。
【００１２】
また、上記スライド部材は、ソケット本体の対角線上にて相対する角部の間に上下動可能に張設されている。
さらに、上記押圧部材は、ソケットカバーの対角線上にて相対する角部に設けられ、内部に弾性部材を装着してソケットカバーに対して所定の長さで伸びている。
さらにまた、上記スライド部材の上向きの付勢力よりも、押圧部材がスライド部材側に伸びる弾性力の方が大きくされている。
これらにより、ソケット本体に多数のコンタクトピンが存在していても、それらに影響されずにグランドピンの作動を制御するスライド部材を組み込むことができる。
【００１３】
【発明の実施の形態】
以下、本発明の実施の形態を添付図面に基づいて詳細に説明する。
図１は本発明による電気部品用ソケットの実施の形態を示す左半分を断面した状態の正面図であり、図２はその電気部品用ソケットを示す平面図であり、図３は図２のＢ−Ｂ線断面図である。この電気部品用ソケット１は、ＩＣパッケージ等の電気部品を着脱可能に保持し、ＩＣパッケージ等の初期不良を取り除くバーンインテスト、電気的導通テスト等において他の電気回路装置（テスト装置）に接続するもので、図１に示すように、ソケット本体２と、ソケットカバー３とを有して成る。
【００１４】
電気部品としてのＩＣパッケージ４は、デバイスを封入した矩形状のパッケージ本体に複数のリード５，５，…を設けたもので、パッケージ本体の両側辺部に複数のリード５，５，…が整列して突出されたものや、或いはパッケージ本体の全周の側辺部に複数のリード５，５，…が整列して突出されたものがある。ここでは、パッケージ本体の全周の側辺部に多数のリード５，５，…が突出されたＯＴＱタイプのＩＣパッケージを例として述べる。そして、このＩＣパッケージ４は、通常のコンタクトピンの他に、パッケージ底面に放熱のためとアースをとるために金属片からなるグランド面２７が設けられている。
【００１５】
上記ソケット本体２は、ＩＣパッケージ４を載置して位置決めするもので、図１に示す従来公知の構造により、上面にＩＣパッケージ４の載置部となるシーティングプレート９を有すると共に、そのシーティングプレート９に載置されるＩＣパッケージ４のリード５と接続する複数のコンタクトピン６，６，…が取り付けられている。これらのコンタクトピン６は、その基部７がソケット本体２のピン取付溝８に挿入されている。また、各コンタクトピン６は、ソケット本体２に形成されたリブで隣接する他のコンタクトピン６に接触しないように仕切られ、絶縁されている。なお、図１において符号１０は、上記コンタクトピン６の基部７から下方へ向けて突出形成された接続アームを示しており、その接続アーム１０が図示外の電気回路装置に接続されるようになっている。
【００１６】
上記ソケット本体２の上面側には、ソケットカバー３が上下動可能に組み付けられている。このソケットカバー３は、その上下動によりソケット本体２の載置部（シーティングプレート９）に載置されるＩＣパッケージ４のリード５をコンタクトピン６で挟み込んで接続固定するように作動させるものである。なお、ソケット本体２とソケットカバー３は、絶縁性の樹脂材料で形成されている。
【００１７】
上記ソケット本体２とソケットカバー３との間には、対角線上にて相対する一対の角部に１個ずつカバースプリング１３が配置されている（図６参照）。すなわち、図１に示すように、ソケットカバー３には下向きにバネ支持軸１５が突出され、このバネ支持軸１５の周りにカバースプリング１３が巻き付けられており、バネ支持軸１５がソケット本体２の穴１４内にスライド可能に挿入されている。ここで、ソケットカバー３は、カバースプリング１３を所定量圧縮するようにソケット本体２に組み付けられ、カバースプリング１３で上向きに常時付勢されて上昇しており、図示省略のストッパ手段でその上昇位置が固定されるようになっている。
【００１８】
次に、上記ソケット本体２の上面側にて上下動するソケットカバー３によって作動されるコンタクトピン６の細部の構造と、その動作について図４を参照して説明する。このコンタクトピン６は、例えばベリリウム銅等の導電性に優れ且つ弾性を有する材料で形成されており、図１に示す基部７に図４に示す第１のバネ部１７を介して形成された第１の接触部１８と、同じく基部７に第２のバネ部１９を介して形成された第２の接触部２０とを有している。
【００１９】
このうち、第１のバネ部１７及び第１の接触部１８は、図４においてソケット本体２の中心側に傾斜した位置から直立位置まで弾性変形させられた状態でソケット本体２のピン支持部２１に係合させられるようになっている。そして、第１の接触部１８の後端面２２は、第１のバネ部１７の弾性力でピン支持部２１の側面に押圧されている。その結果、第１の接触部１８は、図４において左右方向にずれないように位置決めされる。また、第１の接触部１８は、図４においてＩＣパッケージ４のリード５を第２の接触部２０と協働して挟持しても、ピン支持部２１の側面との接触により作用する摩擦抵抗及び第１のバネ部１７の剛性により、図４において簡単に上下方向へずれるようなことがなく、所望の接触圧でＩＣパッケージ４のリード５を挟み込むようになっている。
【００２０】
また、第２のバネ部１９の上端部には、図４に示すように、アーム２３が図中上方へ向けて延びている。このアーム２３は、ソケットカバー３がカバースプリング１３のバネ力に抗して押し下げられると、ソケットカバー３の内側に形成された円弧状又は直線状の押圧部斜面２４で押されて、図４において実線の位置から２点鎖線の位置まで変位する。
【００２１】
このとき、第２のバネ部１９は、図４において反時計方向へ弾性的に変形する。その結果、第２の接触部２０が第１の接触部１８の上端面２５を開いて退避し、第１の接触部１８の上端面２５が解放される。この状態において、ソケットカバー３に形成されたパッケージ挿入窓２６（図１参照）から、ＩＣパッケージ４が矢印Ａのようにソケットカバー３の内部に挿入され、ＩＣパッケージ４のリード５が第１の接触部１８の上端面２５に載置される。
【００２２】
その後、ソケットカバー３に作用させていた押し下げ力を解除すると、ソケットカバー３がカバースプリング１３のバネ力により元の位置に上昇する。その結果、第２のバネ部１９が図４において２点鎖線の位置から実線の位置まで時計回り方向へ弾性的に復元し、第２の接触部２０が第２のバネ部１９の弾性力でＩＣパッケージ４のリード５を第１の接触部１８の上端面２５に対して押圧する。したがって、ＩＣパッケージ４のリード５は、第１の接触部１８と第２の接触部２０とによって所定の接触圧で挟み込まれて、確実に接続固定されることになる。そして、この状態で、図示外の電気回路装置とＩＣパッケージ４とがコンタクトピン６を介して電気的に接続され、所要の電気的テストが行われる。
【００２３】
ここで、図５は、図１〜図３に示す本発明の電気部品用ソケット１を示す斜視図であり、図６は図５のＸ−Ｘ線断面図であり、図７は図５のＹ−Ｙ線断面図である。そして、本発明においては、図６に示すように、ソケット本体２の中央部付近に、ＩＣパッケージ４の底面に設けられた接地用のグランド面２７（図１参照）に対し接触部が弾性的に接触するグランドピン２８が設けられている。すなわち、ソケット本体２の中央部付近に差込み孔があけられ、この差込み孔にグランドピン２８の基部２９を挿入して取り付けられている。また、このグランドピン２８の上部は、シーティングプレート９の中央部付近にあけられたスリット３０内に挿入されて弾性変形し上下動可能とされている。
【００２４】
このグランドピン２８は、ＩＣパッケージ４の底面のグランド面２７にその接触部３１が接触してアースをとるもので、金属で形成され、後述のスライドバー３３の一部に接触して弾性変形しその接触部３１が下降する形状とされている。具体的には、基部２９から一側上方に延びた部分に略Ｃ形状に湾曲した弾性部３２が形成され、この弾性部３２によりグランドピン２８の一側上部が弾性変形して、接触部３１がシーティングプレート９にあけられたスリット３０内で上下に動くようになっている。このとき、グランドピン２８の他端部３４が、後述のスライドバー３３の一部に接触して押し下げられるようになっている。なお、図６においては、グランドピン２８が紙面の奥行き方向に２本設けられている状態を示している。
【００２５】
また、上記グランドピン２８の他端部３４の上方には、図７に示すように、スライドバー３３が設けられている。このスライドバー３３は、グランドピン２８を押し下げ及び上昇させるスライド部材となるもので、グランドピン２８をソケットカバー３の下降により押し下げると共に、そのソケットカバー３が上昇する際にはグランドピン２８の接触部３１を図１に示すＩＣパッケージ４のグランド面２７に接触させるように上向きに付勢されている。
【００２６】
すなわち、図７において、図６に示すソケットカバー３の対角線上にて相対する一対の角部に配置されたカバースプリング１３，１３と直交する方向にてソケット本体２の対角線上にて相対する一対の角部の間にスライドバー３３が上下動可能に張設され、その両端部３３ａ，３３ｂの下面にはスライドバー３３を上向きに付勢するコイルバネ３５，３５が装着されている。そして、上記スライドバー３３の中央部には、略コ字形の掛止溝３６が形成されており、この掛止溝３６内にグランドピン２８の他端部３４が係合されている。これにより、スライドバー３３が下降及び上昇することで、掛止溝３６によってグランドピン２８の他端部３４を押し下げ及び上昇させて、接触部３１を押し下げ及び上昇させる。なお、図７においては、グランドピン２８が上記掛止溝３６内にて所定間隔を置いて平行に２本設けられている状態を示している。
【００２７】
さらに、ソケットカバー３の上記スライドバー３３の両端部３３ａ，３３ｂに対応する一対の角部には、図７に示すように、プッシャー３７，３７が設けられている。このプッシャー３７は、スライドバー３３を押し下げると共にそのスライドバー３３の停止により収縮する押圧部材となるもので、ソケットカバー３の対角線上にて相対する一対の角部からスライドバー３３の両端部３３ａ，３３ｂに向けて弾性的に伸縮可能に延びている。
【００２８】
上記プッシャー３７は、具体的には、図３に示すように、例えば外筒３８ａと内筒３８ｂの二重構造とされており、外筒３８ａの内周面下端部に内筒３８ｂの外周面上端部の鉤部３９が掛止され、更に上記内筒３８ｂの内部にて外筒３８ａとの間にはコイルバネ４０が装着されて、ソケットカバー３に対して所定の長さで伸び、外筒３８ａに対して内筒３８ｂが常時伸長方向に付勢されている。したがって、内筒３８ｂは外筒３８ａに対して常時下向きに伸びた状態で弾性的に伸縮可能とされている。なお、このプッシャー３７内のコイルバネ４０のバネ力は、スライドバー３３の下面に装着されたコイルバネ３５のバネ力よりも大きくされており、上記スライドバー３３の上向きの付勢力よりも、プッシャー３７がスライドバー３３側に伸びる弾性力の方が大きくされている。したがって、スライドバー３３がソケット本体２の内部底面に当接して停止するまでは、プッシャー３７は収縮せずソケットカバー３と一体的に上下動する。
【００２９】
このような状態で、図６及び図７において、ソケットカバー３がカバースプリング１３の上向きの付勢力により最も上昇した位置にあり、スライドバー３３もその下面のコイルバネ３５の上向きの付勢力により上昇した位置にあって、グランドピン２８の他端部３４がスライドバー３３の掛止溝３６に係合された状態となっている。ここで、ソケットカバー３を矢印Ｃ方向に下降すると、プッシャー３７によってまずスライドバー３３が押し下げられ、これと同時にスライドバー３３の掛止溝３６に係合したグランドピン２８の他端部３４も押し下げられて、その接触部３１が下降することとなる。その後、上記スライドバー３３がさらに下降してソケット本体２の内部底面に当接して停止する。
【００３０】
さらに、ソケットカバー３に矢印Ｃ方向の押し下げ力を加えると、今度はプッシャー３７内のコイルバネ４０が弾性変形してそのプッシャー３７自体が収縮する。したがって、スライドバー３３は停止した状態で、ソケットカバー３だけが下降して行く。これにより、図４に示すコンタクトピン６の第２の接触部２０が第１の接触部１８の上端面２５を開いて退避し、第１の接触部１８の上端面２５が解放される。このように、グランドピン２８の動作とコンタクトピン６の動作とのタイミングがずれることとなる。そして、ソケットカバー３を矢印Ｄ方向に上昇させるときも、同様にグランドピン２８の動作とコンタクトピン６の動作とのタイミングがずれることとなる。
【００３１】
なお、図６及び図７においては、ソケット本体２の中央部付近に設けるグランドピン２８は２本としたが、これに限られず、１本としてもよい。２本以上の複数本のグランドピン２８を設けた場合は、ＩＣパッケージ４の電気容量が大きい場合に好適である。
【００３２】
次に、このように構成された電気部品用ソケット１の動作について説明する。まず、図１において、ＩＣパッケージ４を挿入する前は、ソケットカバー３は上昇した位置に保持されている。この状態で、図６及び図７において、ソケットカバー３を矢印Ｃ方向に押し下げる。すると、図１又は図６に示すカバースプリング１３の上向きの付勢力に抗してソケットカバー３が下降し、図７に示すように、初めはそのソケットカバー３と一体的に下降するプッシャー３７により、スライドバー３３を両端部下面のコイルバネ３５の付勢力に抗して押し下げる。これにより、図６及び図７においてスライドバー３３の掛止溝３６に係合されたグランドピン２８の他端部３４が、図８に示すように押し下げられ、中間部の弾性部３２の弾性変形によりその接触部３１がシーティングプレート９にあけられたスリット３０内で下降する。
【００３３】
上記ソケットカバー３を引き続き押し下げることによりスライドバー３３がさらに下降して、図７に示すソケット本体２の内部底面に当接して停止する。この状態では、グランドピン２８の他端部３４はスライドバー３３の掛止溝３６に係合して押し下げられたままであり、図８に示す接触部３１は下降した状態で停止している。
【００３４】
その後、ソケットカバー３を更に押し下げることにより、図７においてスライドバー３３に接触しているプッシャー３７は下降できないので、今度はプッシャー３７内のコイルバネ４０が弾性変形してそのプッシャー３７自体が収縮する。このとき、スライドバー３３は停止した状態で、ソケットカバー３だけが矢印Ｃ方向に下降して行く。すると、このソケットカバー３の下降により、図４に示す押圧部斜面２４でコンタクトピン６のアーム２３を押し下げる。これにより、コンタクトピン６の第２のバネ部１９が弾性的に変形して、第２の接触部２０が第１の接触部１８の上端面２５を開いて退避し、第１の接触部１８の上端面２５が解放される。この結果、電気部品用ソケット１の内部にて、ＩＣパッケージ４の載置部（シーティングプレート９）がパッケージの受け入れ状態となる。
【００３５】
次に、この状態で、図１において、ソケットカバー３に形成されたパッケージ挿入窓２６から、ＩＣパッケージ４を矢印Ａのようにソケットカバー３の内部に挿入し、図４に示すように、ＩＣパッケージ４のリード５をコンタクトピン６の第１の接触部１８の上端面２５に載置する。このようにして、ＩＣパッケージ４の総てのリード５が第１の接触部１８の上端面２５に載置されたのを確認したら、前記ソケットカバー３に作用させていた押し下げ力を解除する。
【００３６】
すると、図６及び図７において、ソケットカバー３がカバースプリング１３のバネ力により矢印Ｄのように上昇して行く。このとき、図７において、今まで収縮していたプッシャー３７内のコイルバネ４０が徐々に復元して、そのプッシャー３７自体が伸長して行く。すなわち、プッシャー３７でスライドバー３３を押し下げた状態のまま、ソケットカバー３だけが矢印Ｄのように上昇する。この状態では、図８においてスライドバー３３で押し下げられたグランドピン２８の接触部３１は、下降した状態に維持されている。
【００３７】
上記ソケットカバー３の上昇により、図４において、ソケットカバー３の押圧部斜面２４によるコンタクトピン６のアーム２３に対する押し下げが無くなるので、コンタクトピン６の第２のバネ部１９が２点鎖線の位置から実線の位置まで弾性的に復元し、第２の接触部２０が第２のバネ部１９の弾性力でＩＣパッケージ４のリード５を第１の接触部１８の上端面２５に対して押圧する。これにより、ＩＣパッケージ４のリード５は、第１の接触部１８と第２の接触部２０とによって挟み込まれる。
【００３８】
その後、図７において、プッシャー３７内のコイルバネ４０が完全に復元し、そのプッシャー３７が元の状態に伸長するまで、ソケットカバー３が更に上昇して行く。これにより、ＩＣパッケージ４のリード５は、コンタクトピン６の第１の接触部１８と第２の接触部２０とによって所定の接触圧で挟み込まれて、確実に接続固定される。
【００３９】
この状態で、上記プッシャー３７によるスライドバー３３に対する押し下げ力が無くなる。その後、図６において、ソケットカバー３はカバースプリング１３のバネ力により矢印Ｄのように上昇して行く。すると、図７において、スライドバー３３がコイルバネ３５の上向きの付勢力により上昇する。このスライドバー３３の上昇により、図８において、グランドピン２８の他端部３４の押し下げが解除され、グランドピン２８が上向きに弾性変形してその接触部３１がシーティングプレート９にあけられたスリット３０（図６参照）内で上昇する。そして、図８に示すように、グランドピン２８の接触部３１がＩＣパッケージ４の底面のグランド面２７に弾性的に接触してアースする。
【００４０】
このとき、図４に示すコンタクトピン６の第１の接触部１８と第２の接触部２０とによってＩＣパッケージ４のリード５を所定の接触圧で挟み込んで確実に接続固定した後に、図８に示すグランドピン２８の接触部３１がＩＣパッケージ４のグランド面２７に接触するので、グランドピン２８でＩＣパッケージ４の底面を突き上げることなく、電気部品用ソケット１に接続固定することができる。
【００４１】
そして、この状態で、図示外の電気回路装置とＩＣパッケージ４とがコンタクトピン６を介して電気的に接続され、所要の電気的テストが行われる。
【００４２】
なお、グランドピン２８、スライドバー３３及びプッシャー３７の形状、並びにそれらの組み付け構造は、図６〜図８に示したものに限られず、ＩＣパッケージ４の底面に設けられた接地用のグランド面２７に対し接触部が弾性的に接触するグランドピンであり、そのグランドピンをソケットカバー３の下降により押し下げると共に、ソケットカバー３が上昇する際にはグランドピンの接触部をＩＣパッケージ４のグランド面２７に接触させるように上向きに付勢されたスライドバーであり、上記ソケットカバー３からスライドバーの両端部に向けて弾性的に伸縮可能に伸び、スライドバーを押し下げると共にそのスライドバーの停止により収縮するプッシャーであるならば、どのような形状及び構造であってもよい。また、ＩＣパッケージ４は、側方にリード５を突出させたものに限られず、パッケージ本体の下面に接続端子とグランド面２７を有するものであってもよく、本発明を同様に適用することができる。
【００４３】
【発明の効果】
本発明は以上のように構成されたので、請求項１〜３に係る発明によれば、ソケットカバーの下降によって、そのソケットカバーからスライド部材に向けて弾性的に伸縮可能に伸びて設けられた押圧部材で上記スライド部材を押し下げ、このスライド部材の下降でソケット本体のグランドピンを押し下げ、そのスライド部材の停止により押圧部材が収縮して更にソケットカバーが下降して、ソケット本体のコンタクトピンを開いた状態とし、載置部に電気部品を載置した後、ソケットカバーを上昇させることにより、上記押圧部材の伸長によってまずソケットカバーが上昇してコンタクトピンを閉じて載置部の電気部品のリードに接続固定し、その後スライド部材が上昇してソケット本体に設けられたグランドピンの接触部を電気部品の底面のグランド面に弾性的に接触させることができる。これにより、ソケット本体のコンタクトピンで電気部品を確実に接続固定した後に、電気部品の底面に設けられた接地用のグランド面に対しグランドピンを弾性的に接触させることができる。したがって、電気部品を挿入する際に、グランドピンで電気部品の底面を突き上げることなく、その電気部品を電気部品用ソケットに確実に接続することができる。
【００４４】
また、請求項４〜６に係る発明によれば、グランドピンをソケットカバーの下降により押し下げると共に、そのソケットカバーが上昇する際にはグランドピンの接触部を電気部品のグランド面に接触させるように上向きに付勢されたスライド部材が、ソケット本体の対角線上にて相対する角部の間に上下動可能に張設されていることから、例えばＳＯＰタイプのＩＣパッケージ或いはＱＦＰタイプのＩＣパッケージ用の電気部品用ソケットのようにソケット本体に多数のコンタクトピンが存在していても、それらに影響されずにグランドピンの作動を制御するスライド部材を組み込むことができる。
【図面の簡単な説明】
【図１】本発明による電気部品用ソケットの実施の形態を示す左半分を断面した状態の正面図である。
【図２】上記電気部品用ソケットを示す平面図である。
【図３】図２のＢ−Ｂ線断面図である。
【図４】ソケット本体内に取り付けられたコンタクトピンの細部の構造とその動作を説明する要部拡大断面図である。
【図５】図１〜図３に示す電気部品用ソケットを示す斜視図である。
【図６】図５のＸ−Ｘ線断面図である。
【図７】図５のＹ−Ｙ線断面図である。
【図８】ＩＣパッケージに対するグランドピンの接触状態を示す説明図である。
【符号の説明】
２…ソケット本体
３…ソケットカバー
４…ＩＣパッケージ（電気部品）
５…ＩＣパッケージのリード
６…コンタクトピン
１３…カバースプリング
１８…コンタクトピンの第１の接触部
２０…コンタクトピンの第２の接触部
２３…コンタクトピンのアーム
２４…ソケットカバーの押圧部斜面
２７…ＩＣパッケージのグランド面
２８…グランドピン
３０…シーティングプレートのスリット
３１…グランドピンの接触部
３３…スライドバー（スライド部材）
３４…グランドピンの他端部
３６…スライドバーの掛止溝
３７…プッシャー（押圧部材）
３８ａ…外筒
３８ｂ…内筒
３５，４０…コイルバネ
【図１】
2005005130.tif 000003
【図２】
2005005130.tif 000004
【図３】
2005005130.tif 000005
【図４】
2005005130.tif 000006
【図５】
2005005130.tif 000007
【図６】
2005005130.tif 000008
【図７】
2005005130.tif 000009
【図８】
2005005130.tif 000010